【手続補正書】
【提出日】平成17年11月7日(2005.11.7)
【手続補正１】
【補正対象書類名】特許請求の範囲
【補正対象項目名】全文
【補正方法】変更
【補正の内容】
【特許請求の範囲】
【請求項１】
身体の管腔内に挿入するよう適合されたステント送出装置であって、
ステントを支持するようになされた拡張式アセンブリであって、前記ステントがその上に取り付けられた拡張式アセンブリと、
前記拡張式アセンブリおよび前記ステントを選択的に規制しかつガイドワイヤとして働くようになされたガイド部材であって、
前記拡張式アセンブリおよび前記ステントを選択的に規制するようになされ、1つまたは複数の支柱を具えた遠位端と、
前記拡張式アセンブリおよび前記ステントを展開するよう構成された作動アセンブリと協働するようになされた近位端と、を具えるガイド部材と、
前記遠位端と協働して前記拡張式アセンブリと前記ステントとを規制するように前記遠位端に規制力を加えるのを助けるように適合された規制部材であって、前記一つまたは複数の支柱の周りに選択的に固定されたスリーブを含む規制部材と、
を具えることを特徴とするステント送出装置。
【請求項２】
前記ステントはバルーン膨張性ステントまたは自己膨張ステントであることを特徴とする請求項１に記載の装置。
【請求項３】
前記拡張式アセンブリは、前記拡張式チューブと協働する拡張式バルーンを含むことを特徴とする請求項１に記載の装置。
【請求項４】
前記拡張式チューブは前記拡張式バルーンの遠位端から前記拡張式バルーンの近位端に向かって延び、前記拡張式バルーンの前記近位端は前記ガイド部材の前記近位端の遠位側で終わることを特徴とする請求項３に記載の装置。
【請求項５】
前記拡張式チューブは、前記拡張式バルーンの遠位端から前記ガイド部材の近位端まで延びることを特徴とする請求項３に記載の装置。
【請求項６】
前記拡張式チューブは、前記拡張式バルーンの内部と連絡する1つまたは複数の開口部を更に具えたことを特徴とする請求項３に記載の装置。
【請求項７】
前記位置決め部材は、前記拡張式バルーンを遠位方向または近位方向に移動させるのに十分な剛性を有することを特徴とする請求項３に記載の装置。
【請求項８】
前記位置決め部材は前記拡張式チューブに結合されることを特徴とする請求項７に記載の装置。
【請求項９】
前記拡張式チューブ内に配置された位置決め部材をさらに含み、前記位置決め部材は前記拡張式チューブに結合された壁と協働するように適合されていることを特徴とする請求項７に記載の装置。
【請求項１０】
前記１つまたは複数の支柱は外向きに開くように付勢されていることを特徴とする請求項１に記載の装置。
【請求項１１】
前記１つまたは複数の支柱は非外傷性チップ内に形成されていることを特徴とする請求項１に記載の装置。
【請求項１２】
前記ガイド部材の前記遠位端に形成された前記１つまたは複数の支柱を規制するように適合された規制部材をさらに具えたことを特徴とする請求項１に記載の装置。
【請求項１３】
前記規制部材に結合された１つまたは複数の作動部材を更に具え、前記作動部材を操作することによって、前記規制部材により加えられた規制力が解除され、これによって前記１つまたは複数の支柱が解放されることを特徴とする請求項１２に記載の装置。
【請求項１４】
拡張式アセンブリと、
前記拡張式アセンブリ上に配置されたステントと、
近位端および遠位端を有するガイド部材であって、前記ガイド部材の前記遠位端は１つまたは複数の支柱を具え且つ前記拡張式アセンブリを選択的に規制するようになされており、身体の管腔内に前記ガイド部材を配置することによって、同時に前記拡張式アセンブリおよび前記ステントが身体の管腔内に配置されるガイド部材と、
前記遠位端の表面と協働し、且つ前記拡張式アセンブリと前記ステントとを規制するように前記遠位端に規制力を加えるのを助ける規制部材と、
を含むことを特徴とする身体の管腔内にステントを送出するように適合されたステント送出装置。
【請求項１５】
前記ガイド部材は、前記ガイド部材の前記近位端と前記遠位端の間を延びる管腔を含み、前記拡張式アセンブリおよび前記ステントは、前記ガイド部材の前記管腔内に選択的に規制されることを特徴とする請求項１４に記載の装置。
【請求項１６】
前記拡張式アセンブリは、
内側部分を含む拡張式バルーンと、
前記拡張式バルーンの前記内側部分と流体連絡する拡張式チューブと
をさらに含む請求項１４に記載の装置。
【請求項１７】
前記拡張式チューブは、前記拡張式バルーンの前記内側部分に連絡する複数の開口部を含む請求項１６に記載の装置。
【請求項１８】
前記拡張式チューブは、前記拡張式バルーンと協働する位置決め部材を更に具え、当該位置決め部材は、前記拡張式アセンブリおよび前記ステントを近位方向と遠位方向との少なくとも一方に移動させるように適合されていることを特徴とする請求項１６に記載の装置。
【請求項１９】
前記位置決め部材は、前記拡張式チューブと協働するように適合されていることを特徴とする請求項１８に記載の装置。
【請求項２０】
前記ガイド部材の前記遠位端は、外向きに開くように付勢されている１つまたは複数の支柱を含むことを特徴とする請求項１４に記載の装置。
【請求項２１】
前記１つまたは複数の支柱は前記ガイド部材と一体的に形成されていることを特徴とする請求項２０に記載の装置。
【請求項２２】
前記１つまたは複数の支柱の少なくとも１つは非外傷性チップを形成することを特徴とする請求項２０に記載の装置。
【請求項２３】
前記規制部材を選択的に変位させるために前記規制部材に結合された少なくとも１つの作動部材を更に具えることを特徴とする請求項１４に記載の装置。
【請求項２４】
前記規制部材は、前記ガイド部材の前記遠位端に配置された１つまたは複数の支柱の周りに選択的に固定されたスリーブを含むことを特徴とする請求項２３に記載の装置。
【請求項２５】
前記少なくとも１つの作動部材の少なくとも一部は、前記１つまたは複数の支柱の周りに前記スリーブを選択的に固定する縫い目として働くことを特徴とする請求項２４に記載の装置。
【請求項２６】
前記スリーブは複数のヒンジ式部分を含み、前記複数のヒンジ式部分は前記少なくとも１つの作動部材の少なくとも一部によって選択的に固定されることを特徴とする請求項２４に記載の装置。
【請求項２７】
前記スリーブの少なくとも一部は、前記１つまたは複数の支柱のうち少なくとも２つの間のギャップを通過し、前記スリーブは、前記１つまたは複数の支柱の周りに選択的に固定されることを特徴とする請求項２４に記載の装置。
【請求項２８】
前記規制部材は、前記１つまたは複数の支柱の周りに選択的に配置されたカテーテルであることを特徴とする請求項２４に記載の装置。
【請求項２９】
前記スリーブは１つまたは複数の分離可能な部分を含み、前記少なくとも１つの作動部材は、前記少なくとも１つの作動部材の変位によって前記１つまたは複数の分離可能な部分が分離して前記ガイド部材の前記遠位端に配置された１つまたは複数の支柱が選択的に解放されるように、前記１つまたは複数の分離可能な部分と協働することを特徴とする請求項２４に記載の装置。
【請求項３０】
前記規制部材は、前記１つまたは複数の支柱に選択的に固定されたコードであることを特徴とする請求項２４に記載の装置。
【請求項３１】
前記コードは複数のフープに構成され、前記複数のフープは、前記少なくとも１つの作動部材の少なくとも一部によって選択的に固定されることを特徴とする請求項３０に記載の装置。
【請求項３２】
規制部材は、１つまたは複数の支柱を選択的に縫って進むコードであることを特徴とする請求項２４に記載の装置。
【請求項３３】
前記ガイド部材の前記近位端は、作動要素と協働するようになされたことを特徴とする請求項１４に記載の装置。
【請求項３４】
前記作動要素は１つまたは複数の作動部材と協働し、前記１つまたは複数の作動部材は、前記ガイド部材の前記遠位端による規制から前記拡張式アセンブリおよび前記ステントを解放するのを助けるようになされたことを特徴とする請求項３３に記載の装置。
【請求項３５】
身体の管腔にステントを送出するよう構成されたステント送出装置であって、
拡張式アセンブリと、
前記拡張式アセンブリ上に配置されたステントと、
近位端、遠位端、およびガイド部材の前記近位端から前記遠位端まで延びる管腔を有するガイド部材であって、前記ガイド部材の前記遠位端が、１つまたは複数の支柱を具えると共に、前記遠位端の表面と協働するように適合され且つ前記拡張式アセンブリと前記ステントとを規制するために前記遠位端を選択的に規制するのを助ける規制部材と協働して、前記拡張式アセンブリを選択的に規制するよう構成されたガイド部材と、
前記ガイド部材の前記長さに沿って延びるガイドワイヤであって、前記ガイド部材の前記管腔内に少なくとも部分的に配置されたガイドワイヤと
を具え、前記ガイド部材を前記身体の管腔内に配置することによって、同時に、前記拡張式アセンブリと前記ステントとが前記身体内に配置されることを特徴とする装置。
【請求項３６】
前記ガイドワイヤは前記拡張式アセンブリを通過することを特徴とする請求項３５に記載の装置。
【請求項３７】
前記ガイドワイヤは前記拡張式アセンブリと前記ステントの間を通ることを特徴とする請求項３５に記載の装置。
【請求項３８】
前記ガイドワイヤは前記ステントと前記ガイド部材の間を通ることを特徴とする請求項３５に記載の装置。
【請求項３９】
前記ガイド部材の前記遠位端に配置された保護チップをさらに含むことを特徴とする請求項３５に記載の装置。
【請求項４０】
前記拡張式アセンブリが、
内側部分を有する拡張式バルーンと、
前記拡張式バルーンの前記内側部分に流体連絡する拡張式チューブと
を含むことを特徴とする請求項３５に記載の装置。
【請求項４１】
前記拡張式アセンブリは、前記ガイドワイヤを受容するように適合された管状部材をさらに含み、前記拡張式バルーンは前記管状部材を中心として配置されたことを特徴とする請求項４０に記載の装置。
【請求項４２】
前記拡張式アセンブリに結合された位置決め部材をさらに含み、前記位置決め部材は、
拡張式アセンブリを遠位方向または近位方向に移動させるのに十分な剛性を有することを特徴とする請求項４１に記載の装置。
【請求項４３】
前記位置決め部材は前記拡張式チューブに結合され、前記位置決め部材は、前記拡張式チューブを遠位方向または近位方向の少なくとも一方に移動させるのに十分な剛性を有することを特徴とする請求項４２に記載の装置。
【請求項４４】
前記位置決め部材は前記拡張式チューブ内に配置されることを特徴とする請求項４３に記載の装置。
【請求項４５】
前記位置決め部材は前記ガイドワイヤに結合され、前記位置決め部材は、前記ガイドワイヤを遠位方向または近位方向の少なくとも一方に移動させるのに十分な剛性を有することを特徴とする請求項４３に記載の装置。
【請求項４６】
前記ガイド部材の前記遠位端は１つまたは複数の支柱を含み、前記１つまたは複数の支柱の少なくとも１つは外向きに開くよう付勢されることを特徴とする請求項４０に記載の装置。
【請求項４７】
前記１つまたは複数の支柱は、前記ガイド部材と一体的に形成されることを特徴とする請求項４６に記載の装置。
【請求項４８】
規制位置と解放位置の間に前記１つまたは複数の支柱を選択的に位置決めするよう構成された規制部材と、
前記規制部材を選択的に変位させるために前記規制部材に結合された少なくとも１つの作動部材とをさらに含むことを特徴とする請求項４６に記載の装置。
【請求項４９】
前記規制部材は、前記１つまたは複数の支柱の周りに選択的に固定されたスリーブであることを特徴とする請求項４８に記載の装置。
【請求項５０】
前記規制部材は、前記１つまたは複数の支柱の周りに選択的に配置されたカテーテルであることを特徴とする請求項４８に記載の装置。
【請求項５１】
前記規制部材は、前記１つまたは複数の支柱に選択的に固定されたコードであることを特徴とする請求項４８に記載の装置。
【請求項５２】
前記少なくとも１つの作動部材に結合された作動要素をさらに含み、前記作動要素は、近位方向または遠位方向からなる群から選択された方向に前記少なくとも１つの作動部材を移動させるようになされたことを特徴とする請求項４８に記載の装置。
【請求項５３】
前記作動要素は前記ガイド部材の前記近位端と協働することを特徴とする請求項５２に記載の装置。
【請求項５４】
近位端および遠位端を有する拡張式チューブをさらに含み、前記拡張式チューブの前記遠位端は、前記拡張式アセンブリの拡張式バルーンと流体連絡し、前記拡張式チューブの前記近位端は前記作動要素と結合することを特徴とする請求項５３に記載の装置。
【請求項５５】
ステントを支持しガイドワイヤと協働するようになされた拡張式アセンブリであって、前記ステントは前記拡張式アセンブリに取り付けられている拡張式アセンブリと、
前記拡張式アセンブリおよび前記ステントを選択的に規制して前記ガイドワイヤを受容するようになされたガイド部材とを含み、
前記ガイド部材は、
前記拡張式アセンブリおよび前記ステントを選択的に規制するようになされた１つまたは複数の支柱に適合された遠位端と、
前記遠位端の表面と協働し、前記１つまたは複数の支柱に規制力を加える規制部材と、
前記拡張式アセンブリおよび前記ステントを展開するのを助けるようになされた作動アセンブリと協働するようになされた近位端とを含み、前記ガイド部材を前記身体の管腔内に配置することによって、同時に、前記拡張式アセンブリと前記ステントとが前記身体内に配置されることを特徴とする身体の管腔に挿入するように適合されたステント送出装置。
【請求項５６】
前記作動アセンブリは、
前記規制部材と協働する少なくとも１つの作動部材と、
前記少なくとも１つの作動部材に結合され、前記ガイド部材の近位端と協働する作動要素と、
を具えることを特徴とする請求項５５に記載の装置。
【請求項５７】
前記作動要素は、前記ガイド部材の前記近位端に流動封止されることを特徴とする請求項５６に記載の装置。
【請求項５８】
前記作動アセンブリは、前記規制力を解放して、前記ガイド部材の前記遠位端と前記近位端との間に延在する前記ガイド部材の内腔の中から前記拡張式アセンブリと前記ステントとを展開するように適合されていることを特徴とする請求項５６に記載の装置。
【請求項５９】
前記拡張式アセンブリは、
拡張式チューブと、
前記拡張式チューブに取り付けられた拡張式バルーンと、
前記拡張式チューブおよび前記拡張式バルーンの少なくとも一方と協働する位置決め部材であって、遠位方向と近位方向の少なくとも１つの方向に前記ガイドワイヤに沿って前記拡張式アセンブリを移動させるのを助けるようになされた位置決め部材と
を含むことを特徴とする請求項５６に記載の装置。
【請求項６０】
身体の管腔にステントを送出するための方法において、
身体の管腔内に装置を位置決めするステップであって、前記装置は、
拡張式アセンブリと、
前記拡張式アセンブリに配置されたステントと、
近位端と遠位端とを有するガイド部材であって、前記拡張式アセンブリおよび前記ステントを規制するために前記拡張式アセンブリおよび前記ステントに規制力を加える手段を含むガイド部材とを含み、前記ガイド部材を身体の管腔に配置することによって、同時に身体の管腔内に前記拡張式アセンブリおよび前記ステントが配置されるステップと、
前記規制力を加える手段を解放して前記拡張式アセンブリおよび前記ステントを解放するステップと、
前記拡張式アセンブリおよび前記ステントを前記ガイド部材から展開して、前記ステントを前記身体の内腔内へと埋め込むために、前記拡張式アセンブリに流体を導入するステップと
を含むことを特徴とする方法。
【請求項６１】
前記規制力を加える手段は、
前記ガイド部材の前記遠位端に形成された１つまたは複数の支柱と、
前記１つまたは複数の支柱を取り囲む少なくとも１つの規制部材と
を含むことを特徴とする請求項６０に記載の方法。
【請求項６２】
前記規制力を加える手段は、前記少なくとも１つの規制部材と協働する少なくとも１つの作動部材をさらに含むことを特徴とする請求項６１に記載の方法。
【請求項６３】
前記ステントに対して前記ガイド部材を移動させるステップをさらに含み、前記ガイド部材の前記相対的な動きによって、前記ステントと、前記拡張式アセンブリの少なくとも遠位端とを展開することを特徴とする請求項６０に記載の方法。
【請求項６４】
前記拡張式アセンブリの拡張式バルーンを膨張させるステップをさらに含み、前記拡張式バルーンの膨張によって前記ステントが埋め込まれることを特徴とする請求項６３に記載の方法。
【請求項６５】
前記ステントを身体の管腔に埋め込んだ後に前記拡張式バルーンを収縮させるステップをさらに含むことを特徴とする請求項６４に記載の方法。
【請求項６６】
前記身体の管腔から前記ガイド部材および前記拡張式アセンブリの少なくとも一方を除去するステップをさらに含むことを特徴とする請求項６５に記載の方法。